(57)【要約】【課題】立位撮影において胸郭部をできるだけ広範囲に撮影するように、撮影部を立位状態に支持する架台に対して、撮影部が所定の姿勢に一意的に装着されることにより操作者の操作性を向上させる。【解決手段】検出パネルの少なくとも一辺に対して前記検出面外形を前記筐体外形側に寄せ、他の辺に対して検出面外形と筐体との間に前記回路基板の一部または前記電源回路を配置した撮影部に対して立位撮影する場合には検出面外形と、筐体外形の距離が近い側を上側にして撮影する。撮影部を立位状態に支持する架台を有し、前記撮影部が検出面外形と、筐体外形の距離が近い側を上側にして装着されるように装着向きが一意的に決まるような取付部もしくは挿入部を有する。【選択図】        図１
2005017513.tif 000002
【特許請求の範囲】
【請求項１】
被写体を透過した放射線を検出する放射線画像撮影装置において、被写体を透過した放射線を検出する光電変換素子を二次元状に配列して成る四角形形状をなす検出面を有する検出手段と、該検出手段からの電気信号を処理する回路基板と、前記検出手段および前記回路基板に電力を供給する電源と、前記検出手段、前記回路基板および前記電源を内包する筐体とから成り、少なくとも一辺に対して前記検出面外形を前記筐体外形側に寄せ、他の辺に対して検出面外形と筐体との間に前記回路基板の一部または（および）前記電源回路または（および）携帯用の把手部を配置した撮影部を使用し立位撮影する場合には検出面外形と、筐体外形の距離が近い側を上側にして撮影することを特徴とした放射線画像撮影装置。
【請求項２】
前記撮影部を立位状態に支持する架台を有し、前記撮影部が検出面外形と、筐体外形の距離が近い側を上側にして装着されるように装着向きが一意的に決まるような取付部もしくは挿入部を有することを特徴とした特許請求の範囲第１項記載の放射線画像撮影装置。
【請求項３】
被写体を透過した放射線を検出する放射線画像撮影装置において、被写体を透過した放射線を検出する光電変換素子を二次元状に配列して成る長方形形状をなす検出面を有する検出手段と、該検出手段からの電気信号を処理する回路基板と、前記検出手段および前記回路基板に電力を供給する電源と、前記検出手段、前記回路基板および前記電源を内包する筐体とから成る撮影部を有し、隣接する少なくとも一組の二辺に対して前記検出面外形を前記筐体外形側に寄せ、他の辺に対して検出面外形と筐体との間に前記回路基板の一部または（および）前記電源回路または（および）携帯用の把手部を配置したことを特徴とした放射線画像撮影装置。
【請求項４】
前記撮影部を使用し立位撮影する場合には、撮影部が縦および横のいずれの向きであっても検出面外形と、筐体外形の距離が近い側を上側にして撮影することを特徴とした特許請求の範囲第３項記載の放射線画像撮影装置。
【請求項５】
前記撮影部を立位状態に支持する架台を有し、撮影部が縦および横のいずれの向きであっても前記撮影部が検出面外形と、筐体外形の距離が近い側を上側にして装着されるように装着向きが一意的に決まるような取付部もしくは挿入部を有することを特徴とした特許請求の範囲第３項記載の放射線画像撮影装置。
【請求項６】
前記撮影部は放射線入射方向からみて外形と平行な少なくとも１つの中心軸に対して外形が非対称形状であることを特徴とした特許請求の範囲第１項〜第５項記載の放射線画像撮影装置。
【請求項７】
前記撮影部は放射線入射方向に対して直交する方向から見た少なくとも一つの側面において放射線入射軸に対して外形が非対称形状であることを特徴とした特許請求の範囲第１項〜第５項記載の放射線画像撮影装置。
【発明の詳細な説明】
【０００１】
【発明の属する技術分野】
本発明は可搬性を有する放射線デジタル画像撮影装置（電子カセッテ）に関するものである。
【０００２】
【従来の技術】
従来から、対象物に放射線を照射し、対称物を透過した放射線の強度分布を検出して対象物の放射線画像を得る装置が、工業用の非破壊検査や医療診断の場で広く一般に利用されている。このような撮影の一般的な方法としてはＸ線に対するフィルム／スクリーン方が挙げられる。これは感光性フィルムと、Ｘ線に対して感度を有している蛍光体を組合せて撮影する方法である。Ｘ線を照射すると発光する希土類の蛍光体をシート状にしたものを感光性フィルムの両面に密着して保持し、被写体を透過したＸ線を蛍光体で可視光に変換し、感光性フィルムで光を捉える。フィルム上に形成された潜像を化学処理で現像することで可視化することができる。
【０００３】
一方、近年のデジタル技術の進歩により、放射線画像を電気信号に変換し、この電気信号を画像処理した後に、可視画像としてＣＲＴ等に再生することにより高画質の放射線画像を得る方式が求められてきている。このような放射線画像を電気信号に変換する方法としては、放射線の透過画像をいったん蛍光体中に潜像として蓄積して、後にレーザー光等の励起光を照射することで潜像を光電的に読み出し可視像として出力する放射線画像記録再生システムが提案されている。（特開昭５５−１２４２９号、同５６−１１３９５号など）
また、近年の半導体プロセス技術の進歩に伴い、半導体センサを使用して同様に放射線画像を撮影する装置が開発されている。これらのシステムは、従来の感光性フィルムを用いる放射線写真システムと比較して非常に広いダイナミックレンジを有しており、放射線の露光量の変動に影響されない放射線画像を得ることができる実利的な利点を有している。同時に従来の感光性フィルム方式と異なり化学処理が要らず、即時的に出力画像を得ることができる利点もある。
【０００４】
図１４はこのような放射線画像撮影装置を用いたシステムを示す概念図である。１０３はＸ線検出センサ１０４を内蔵したＸ線画像撮影装置である。Ｘ線発生装置１０１によって発せられたＸ線を被写体１０２に照射し、被写体を透過したＸ線を二次元の格子状に配列した光電変換素子によって検出する。この検出手段から出力される画像信号を画像処理手段１０５でディジタル画像処理し、モニタ１０６に前記被写体のＸ線画像を表示する。
【０００５】
図１５、図１６にはそれぞれ従来例の正面断面図、側面断面図を示す。従来例は立位状態で胸部等を撮影するための据置き型の撮影部である。これらの図に基づき概略の構成を説明するとこのようなＸ線撮影などに用いる撮影部は、Ｘ線を可視光に変換する蛍光体１５１ａと、この可視光を電気信号に変換する格子状に配列された光電変換素子１５１ｂと、この光電変換素子をその上に形成した基板１５１ｃと、この基板１５１ｃを支持する基台５２と、光電変換された電気信号を処理する電子部品を搭載した回路基板１５３及び配線１５４と、これらを収納するカバー１５５などから構成される検出ユニットが筐体１６０に内蔵されている。このユニットに対して図１５中下方及び外周には各種電気回路や配線が配置されている。これらは検出ユニットに対して電力を供給する電源部１５６、検出ユニットを制御するための制御回路部１５７、操作部との通信を行うための通信回路部１５８、また各種回路を接続するためのケーブル１５９等である。
【０００６】
【発明が解決しようとする課題】
このような立位撮影においては胸郭部をできるだけ広範囲に撮影するために、被験者が顎を乗せる顎当て１６１から検出パネル１５１外形までの距離を小さく構成するのが望ましい。従来例では顎当て側には電気部品の実装を行わず、できるだけ検出面外形と顎当てが近接するように形成されている。また、特開平８−２３８２３３号記載の実施例はマンモ撮影用の装置であり、検出する領域を広げるため、部位に近接する辺において電荷読み出し用の回路自体を配線しないように構成している。
【０００７】
従来、この種の撮像装置は、放射線室に設置され利用されてきた。しかし、近年、より迅速かつ広範囲な部位の撮影を可能にするため、薄型で軽量な可搬型の撮影装置（電子カセッテとも言う）が求められるようになるとともに、１台の撮影部を立位、臥位を含めた種々の架台に対して兼用し装置に要する経費を抑えることも望まれてきている。
【０００８】
このような可般型の撮影部を使用した際は様々な部位に応じた任意の姿勢設定が可能ではあるが、反面、部位に適した姿勢に使用すること、または使用するように補助することが必要である。前述した撮影装置はいずれも撮影部は撮影する部位が決まっているため、部位に適した位置において撮影部内の検出部を外形に近接させればよく、このような配慮は不要であった。
【０００９】
また、前述のような可搬型の要求に対して撮影部のサイズは１７×１４インチ（４３×３５ｃｍ）が好適である。従来の据置き型の撮影部は１７×１７インチ（４３×４３ｃｍ）が主流であるが、軽量化の面で可搬に適した重量を実現させるのが厳しい。これに対し１７×１４インチタイプであれば撮影部位にあわせて撮影部の設置方向を縦・横切り替えればほとんどの部位の撮影が可能であり、軽量化も実現しやすい。
【００１０】
反面、撮影部の向きが任意であるので、従来のように検出面の一辺に対してのみ外形との距離を抑えるだけでは不足である。従って、１７×１４インチの長方形検出部を有する撮影部においも、撮影部の姿勢を縦横に使用しても、撮影部との距離を近づけた撮影を可能にし、かつ適切な姿勢で使用するように補助することが必要である。特に立位撮影において胸郭部をできるだけ広範囲に撮影するために、顎当てから検出パネル外形までの距離が小さくなるように設置されるのが望ましい。
【００１１】
更に、以上のような電子カセッテは従来の感光性フィルム内蔵のカセッテに比較すると、前述のように多くの電気回路や機械部品等から構成されるため、重量が大きくなってしまうとともに、誤って落下させた場合破壊される可能性がある。そこで落下させる可能性を減らすために把手を設けることが考えられる。しかし、逆に把手を付けたことで部位に適した姿勢に使用することが阻害されてはならない。
【００１２】
【課題を解決するための手段】
上述の目的を達成するための本発明の要旨は、被写体を透過した放射線を検出する放射線画像撮影装置において、被写体を透過した放射線を検出する光電変換素子を二次元状に配列して成る四角形形状をなす検出面を有する検出手段と、該検出手段からの電気信号を処理する回路基板と、前記検出手段および前記回路基板に電力を供給する電源と、前記検出手段、前記回路基板および前記電源を内包する筐体とから成り、少なくとも一辺に対して前記検出面外形を前記筐体外形側に寄せ、他の辺に対して検出面外形と筐体との間に前記回路基板の一部または（および）前記電源回路または（および）携帯用の把手部を配置した撮影部を使用し立位撮影する場合には検出面外形と、筐体外形の距離が近い側を上側にして撮影することを特徴とする。このような構成にすることで、部位に適した姿勢（特に立位状態）に使用すること、または使用するように補助することができ有効である。
【００１３】
また、被写体を透過した放射線を検出する放射線画像撮影装置において、被写体を透過した放射線を検出する光電変換素子を二次元状に配列して成る四角形形状をなす検出面を有する検出手段と、該検出手段からの電気信号を処理する回路基板と、前記検出手段および前記回路基板に電力を供給する電源と、前記検出手段、前記回路基板および前記電源を内包する筐体とから成る撮影部を有し、隣接する少なくとも一組の二辺に対して前記検出面外形を前記筐体外形側に寄せ、他の辺に対して検出面外形と筐体との間に前記回路基板の一部または（および）前記電源回路または（および）携帯用の把手部を配置したことを特徴とする。このような撮影部を使用し立位撮影する場合には縦、横にしても検出面外形と、筐体外形の距離が近い側を上側にして撮影することができ顎下の胸郭等も広範囲に撮影ができ有効である。
【００１４】
また、以上のような撮影部を立位状態に支持する架台を有し、前記撮影部が検出面外形と、筐体外形の距離が近い側を上側にして装着されるように装着向きが一意的に決まるような取付部もしくは挿入部を有することを特徴とした放射線画像撮影装置を提供することで、操作者が簡単に所望の撮影部方向に取付可能である。
【００１５】
撮影部は放射線入射方向からみて外形と平行な少なくとも１つの中心軸に対して外形が非対称形状であり、前記撮影部は放射線入射方向に対して直交する方向から見た少なくとも一つの側面において放射線入射軸に対して外形が非対称形状であることを特徴とすることで、操作者が識別しやすいとともに、架台に対する取付方向指定が可能になる。
【００１６】
【発明の実施の形態】
本発明を図１〜図１３に示される実施例に基づいて詳細に説明する。
【００１７】
図１〜図３は本発明の第１の実施例のＸ線像撮影装置である。
【００１８】
図１は実施例の平面断面図であり、図２は側面断面図である。図３は撮影部を立位架台装着する状態を説明する図である。尚、図２は図１においてＡ部を断面にした図を水平にした図である。
【００１９】
図１において、６１はＸ線像検出パネルであり、基本的に蛍光板６１ａと光電変換素子６１ｂと基板６１ｃで構成されている。基板６１ｃは、半導体素子との化学作用のないこと半導体プロセスの温度に耐えること、寸法安定性などの必要性からガラス板が多く用いられる。このようなガラス基板上に光電変換素子６１ｂが半導体プロセスにより２次元配列的に形成される。蛍光板６１ａは金属化合物の蛍光体を樹脂板に塗布したものが用いられ基板６１ｃと接着によって一体化されている。
【００２０】
そしてこれらは、Ｘ線像検出パネル６１として金属製の基台６２に固定されている。６３は光電変換された電気信号を処理する電子部品６３ａを搭載した回路基板であり、フレキシブル回路基板６４によって光電変換素子６１ｂと接続されており、基台６２の裏側に設けられた突起６２ａに対して固定されている。
【００２１】
更に基台６２は支持部６２ｂを介して筐体本体６５ａに固定され、更にＸ線透過性の筐体蓋６５ｂで密閉されＸ線像撮影装置が構成される。
【００２２】
筐体の一角部は切り欠き部６５ｃが形成されている。図３に示すような立位撮影用に撮影部を支持する架台は撮影部を内包するためのケース部７０が取り付けてある。図示はしていないが、ケース内部には他にも放射線を検知するためのフォトタイマや散乱線カット用のグリッド等が内蔵可能である。ケース表面には放射線を照射する領域を示す指標７１、ケース上部には顎を受けるための顎あて部７８が設けられている。ケース７０の内部には把手７４を使用して側方にスライドして引き出すことが可能なトレイ部７２が形成されている。トレイ７２の隅部には突起部７３が設けられており、撮影部を図示のような姿勢にすれば突起部７３は切り欠き部に略一致する位置にあり干渉しないため装着が可能である。このとき撮影部６０は検出パネルと撮影部外形が近い方が上側になるように設置される。これとは反対に逆さの姿勢にしようとした場合は撮影部筐体と突起部が干渉し装着ができない。このような構成にすることで、操作者が意識せずとも胸郭撮影に適した姿勢に撮影部を使用することが可能である。
【００２３】
図４、図５は本発明の第２、第３の実施例のＸ線画像撮影装置であり、撮影部に携帯性を持たせるために把手を具備した撮影部を使用した例である。把手は筐体に設けられた穴から成る。
【００２４】
図４に示す実施例２においては撮影部を装着する立位架台は図３と同様であり、撮影部ケース７０や撮影部を載置するトレイ部７２から構成されている。撮影部２００には検出パネル２０１と筐体外形が近接している一面を確保するために把手は、対向する逆側に配置されている。このような把手配置にすることで検出パネル２０１と筐体外形が近接している側が上になるように装着可能であり、実施例１と同様の効果を、持つことが可能である。
【００２５】
図５に示す実施例３においては実施例２とは異なり、撮影部３００には検出パネル３０１と筐体外形が近接している一面と直交する側面側に把手用の穴３０３が形成されている。このような把手配置にすることで検出パネル２０１と筐体外形が近接している側が上になるように装着可能であるとともに、撮影部自体の把手３０３を利用してトレイ部７５を引き出したりすることが可能にできる。
【００２６】
同様の目的を達成する別の手段として図６に示す第４の実施例を説明する。
【００２７】
立位撮影用架台は撮影部を内包するためのケース部８０が取り付けてあり、放射線を照射領域を示す指標８１、顎宛部８４が設けられている。ケース８０の側方には撮影部を挿入するための開口部８３が形成されている。
【００２８】
撮影部９０の外形は側面９２に示されるように裏面側において傾斜部９２ａを有する非対称形状となっている。また、架台ケース８０の撮影部挿入用の開口部８３も傾斜部８３ａを有した形状をしている。従って図の向きに撮影部を挿入する場合は開口部傾斜部８３ａと撮影部傾斜部９２ａが対応しているので無理なく挿入できる。しかし、上下逆に挿入しようとした場合、傾斜８３ａが邪魔し挿入できない。
【００２９】
図７〜図９は本発明の第５の実施例のＸ線像撮影装置である。
【００３０】
図７は平面断面図である。図８は撮影部を縦にして配置した場合の撮影状態を説明する図であり、図９は撮影部を横にして配置した場合の撮影状態を説明する図である。
【００３１】
図７において、１はＸ線像検出パネルであり、基本的構成は実施例１の検出パネルと同等であり、蛍光板１ａと光電変換素子１ｂと基板１ｃで構成されている。そしてこれらは、Ｘ線像検出パネル１として金属製の基台２に固定されている。３は光電変換された電気信号を処理する電子部品３ａを搭載した回路基板、４は光電変換素子１ｂと接続されたフレキシブル回路基板である。そして、これらを搭載した基台２は筐体本体５に内包されている。
【００３２】
筐体外形を２０ｍｍ程度の厚みに構成するためには、回路基板３上に実装される電気部品は最大６ｍｍ程度に抑える必要があるが、この条件を満足できない実装部品を含む回路部は検出パネル１よりも外側に配置することが必要になる。従って電源や制御回路、通信回路等からなる電気回路８および９や、操作部へ信号を伝送したり、電力供給を受けるためのケーブル９が、放射線入射方向から見た平面断面図において、検出パネル１の左辺および下辺側のみに配置される。
【００３３】
これに対して右辺および上辺側において筐体５内壁に近接して配置され、少なくとも各１短長辺側において検出パネルの外形が撮影部筐体外形から近い状態に構成する。
【００３４】
このような内部実装の撮影部を使用する場合は一般的には図８のように被験者１２に対して撮影部１０を縦にして使用する。この場合検出パネル１１と撮影部外形が近い方を上側にして撮影を行う。他方、被験者１３のように体型的に横幅がある場合は図８のように撮影部を縦にした場合１４インチよりはみ出してしまう場合もある。その場合は図９のように撮影部を横向きにして使用する。検出パネル１１と撮影部外形が近い方を上側にして撮影を行う。このように検出パネルの隣接する少なくとも一組の二辺に対して前記検出面外形を前記筐体外形側に寄せ、他の辺に対して検出面外形と筐体との間に前記回路基板の一部または前記電源回路を配置したことを特徴としたので、撮影部を縦横に切り替えて撮影しても両方の撮影状態に対して顎下の胸郭等も広範囲に撮影ができ有効である。
【００３５】
実施例では隣接する２辺としたが、３辺が実装上可能であればより望ましい。
【００３６】
また、把手に関しても実施例２，３同様に、検出面外形と筐体外形が近接している側以外に配置することで有効な撮影が可能になる。
【００３７】
実施例５では撮影部のみについて説明したが、実際に立位撮影を行う場合には撮影部を支持する架台が用いられる。架台に対して撮影部を装着する場合、撮影部を縦または横にしても常に検出パネルと撮影部外形が近い方が上側になるように一意的に取付が定まるのが望ましい。これに対する解決手段を実施例４および５として以下に説明する。
【００３８】
図１０〜図１１に実施例６を示す。図１０は撮影部を縦に設置する場合の説明図であり、図１１は撮影部を横に設置する場合の説明図である。図中共通部位は同一番号で表記している。
【００３９】
立位撮影用に撮影部を支持する架台は撮影部を内包するためのケース部２０が取り付けてある。実施例１と同様に、フォトタイマやグリッド等が内蔵可能であり、指標２１や顎あて部２８が設けられている。ケース２０の内部には把手２４を使用して側方にスライドして引き出すことが可能なトレイ部２２が形成されている。トレイの内側下方には撮影部の上下位置を決めるための載置部２６が形成されている。載置部２６は図示しない機構により図１０および図１１の位置関係に調整可能である。
【００４０】
撮影部３０は外形のコーナーが切り欠かれた形状をしており、検出パネルがどの方向に配置されているかを外形上判断可能になっている。
【００４１】
図１０のように撮影部を縦に配置する場合は、載置部２６は最下部に位置される。載置部２６の脇にはトレイ部２２に固定に形成されている突起部２５が設けられている。撮影部を図示のような姿勢にすれば突起部２５は切り欠き部に略一致する位置にあり干渉しないため装着が可能である。このとき撮影部３０は検出パネルと撮影部外形が近い方が上側になるように設置される。これとは反対に逆さの姿勢にしようとした場合は撮影部筐体と突起部が干渉し装着ができない。
【００４２】
同様に図１１のように撮影部を横に配置する場合は、載置部２６は上方に調整される。従って突起部２５は横載置の場合には影響しない。載置部２６の脇には一体に形成されている突起部２７が設けられている。撮影部を図示のような姿勢にすれば突起部２７は切り欠き部に略一致する位置にあり干渉しないため装着が可能である。このとき撮影部３０は検出パネルと撮影部外形が近い方が上側になるように設置される。逆さの姿勢は撮影部筐体と突起部２７が干渉し装着不可である。尚、突起部２７は縦載置の場合は図１０のように撮影部と緩衝しないように形成されている。
【００４３】
以上のように、非対称な撮影部外形に対応して架台の撮影部取付部を装着向きを一意的に定まるような形状にすることで、操作者が意識せずとも常に検出パネルと撮影部外形が近い方を上側にすることができる。
【００４４】
図１２〜図１３に実施例７を示す。図１２は撮影部を縦に設置する場合の説明図であり、図１３は撮影部を横に設置する場合の説明図である。図中共通部位は同一番号で表記している。
【００４５】
立位撮影用架台は撮影部を内包するためのケース部４０が取り付けてあり、ケース４０の側方には撮影部を挿入するための開口部４３が形成されている。また、ケース４０の内部には撮影部の上下位置を決めるための載置部４２が形成されている。載置部４２は図示しない機構により撮影部を縦および横に挿入する場合の寸法に合わせた位置に調整可能に構成されている。
【００４６】
撮影部５０の外形は側面５２に示されるように裏面側において傾斜部５２ａを有する非対称形状となっている。また、架台ケース４０の撮影部挿入用の開口部４３も傾斜部４３ａを有した形状をしている。従って図の向きに撮影部を挿入する場合は開口部傾斜部４３ａと撮影部傾斜部５２ａが対応しているので無理なく挿入できる。しかし、上下逆に挿入しようとした場合、傾斜４３ａが邪魔し挿入できない。
【００４７】
同様に撮影部を横置きする場合にも、撮影部の側面５３は傾斜部５３ａを有する非対称形状をしている。載置部４２が横置き状態の位置の調整され、側方から撮影部を挿入する。傾斜部が対応した正規の姿勢のみ挿入可能である。
【００４８】
このように撮影部は放射線入射方向に対して直交する方向から見た２つの側面において放射線入射軸に対して外形が非対称形状であることを特徴とすることで、縦横いずれの方向においても操作者が識別しやすいとともに、架台に対する取付方向指定が可能になり、設置上利便性を向上させることができる。
【００４９】
【発明の効果】
以上、説明したように本発明の放射線画像撮影装置の構成によって、立位撮影する場合には胸郭部をできるだけ広範囲に撮影することが適切であるが、撮影部の検出面外形と、筐体外形の距離が近い側が上側になるように撮影部と架台取付において補助することができる。
【００５０】
また、例えば１７×１４インチの長方形検出部を有する撮影部を使用した立位撮影においても撮影部の姿勢が縦横両方でも上側が検出パネルが外形に近接した姿勢に設定される。このように装着向きが一意的に決まるようなしたことで、操作者の操作性を向上させることができる。
【図面の簡単な説明】
【図１】第１の実施例の側面断面図である。
【図２】第１の実施例の平面断面図である。
【図３】第１の実施例の撮影部を架台に装着する状態を説明する図である。
【図４】第２の実施例の撮影部を架台に装着する状態を説明する図である。
【図５】第３の実施例の撮影部を架台に装着する状態を説明する図である。
【図６】第４の実施例の撮影部を架台に装着する状態を説明する図である。
【図７】第５の実施例の平面断面図である。
【図８】第５の実施例の撮影部を縦にして配置した場合の撮影状態を説明する図である。
【図９】第５の実施例の撮影部を縦にして配置した場合の撮影状態を説明する図である。
【図１０】第６の実施例の撮影部を縦に設置する場合の説明図である。
【図１１】第６の実施例の撮影部を縦に設置する場合の説明図である。
【図１２】第７の実施例の撮影部を縦に設置する場合の説明図である。
【図１３】第７の実施例の撮影部を縦に設置する場合の説明図である。
【図１４】システムの概念図である。
【図１５】従来例の平面断面図である。
【図１６】従来例の側面断面図である。
【符号の説明】
１，１１，３１，５１，６１，９１  Ｘ線検出パネル
２，６２  金属基台
３，６３  回路基板
４，６４  フレキシブルケーブル
５，１０，３０，５０，６０，９０，２００，３００  筐体
７，８，６６  電気回路部
９，６９  ケーブル
２０，４０，７０，８０  架台ケース
２２，７２，７５  トレイ部
２５，２７，７３  突起部
２６，４２  載置部
４３，８３  開口部
２０３，３０３  把手用穴
【図１】
2005017513.tif 000003
【図２】
2005017513.tif 000004
【図３】
2005017513.tif 000005
【図４】
2005017513.tif 000006
【図５】
2005017513.tif 000007
【図６】
2005017513.tif 000008
【図７】
2005017513.tif 000009
【図８】
2005017513.tif 000010
【図９】
2005017513.tif 000011
【図１０】
2005017513.tif 000012
【図１１】
2005017513.tif 000013
【図１２】
2005017513.tif 000014
【図１３】
2005017513.tif 000015
【図１４】
2005017513.tif 000016
【図１５】
2005017513.tif 000017
【図１６】
2005017513.tif 000018